(57)【要約】【課題】工具の持ち替えの手間を削減し、作用効率を向上させることが可能なエスカレータ用調整工具を提供する。【解決手段】取っ手２の先端に固定された支持部３に、スパナ４、ラチェットレンチ５、ステップドライバー６及びボックスレンチ７が蝶番８によって支持部３に対して回動可能に連結されている。支持部３の固定面３１には凹部９１が形成されている。スパナ４、ラチェットレンチ５、ステップドライバー６及びボックスレンチ７がそれぞれ固定されているベース部材４１，５１，６１，７１の固定面４２，５２，６２，７２には凸部９２が固定されている。スパナ４、ラチェットレンチ５、ステップドライバー６及びボックスレンチ７のうちの所望の工具を回動させ、凹部９１と凸部９２とを嵌合させることで、当該所望の工具を支持部３に固定して使用する。【選択図】図１
2013163589.tif 000002
【特許請求の範囲】
【請求項１】
取っ手の先端に固定され第１の固定面を有する支持部と、
エスカレータの移動手摺のチェーンの張力の調整に用いられる複数の工具と、
前記複数の工具のそれぞれを前記支持部に連結し、前記複数の工具のそれぞれを前記支持部に対して回動させる連結部と、
前記複数の工具のうちの使用対象の工具を前記支持部の前記第１の固定面に固定する固定部と、
を備え、
前記複数の工具のそれぞれは、回動させられた場合に前記第１の固定面に接触する第２の固定面を有し、
前記固定部は、前記使用対象の工具が回動させられて前記第２の固定面が前記支持部の前記第１の固定面に接触した場合に前記使用対象の工具を前記支持部に固定する、
ことを特徴とするエスカレータ用調整工具。
【請求項２】
請求項１に記載のエスカレータ用調整工具であって、
前記固定部は、
前記支持部の前記第１の固定面に設けられた被嵌合部と、
前記複数の工具のそれぞれの前記第２の固定面に設けられ、前記被嵌合部と嵌合可能な嵌合部と、
を有し、
前記使用対象の工具が回動させられて前記第２の固定面が前記支持部の前記第１の固定面に接触した場合、前記嵌合部と前記被嵌合部とが嵌合することで前記使用対象の工具が前記支持部に固定される、
ことを特徴とするエスカレータ用調整工具。
【請求項３】
請求項２に記載のエスカレータ用調整工具であって、
前記嵌合部及び前記被嵌合部は磁石で構成されている、
ことを特徴とするエスカレータ用調整工具。
【請求項４】
請求項１から請求項３のいずれか一項に記載のエスカレータ用調整工具であって、
前記複数の工具のうちの少なくとも１つの工具は、回動させられて前記支持部に固定された場合に前記取っ手に対して略直交するように前記支持部に連結されている、
ことを特徴とするエスカレータ用調整工具。
【請求項５】
請求項１から請求項４のいずれか一項に記載のエスカレータ用調整工具であって、
前記複数の工具は取り外し可能に前記支持部に連結されている、
ことを特徴とするエスカレータ用調整工具。
【請求項６】
請求項１から請求項５のいずれか一項に記載のエスカレータ用調整工具であって、
前記取っ手に取り付けられ、前記複数の工具を束ねて前記取っ手に固定する結束部を更に備える、
ことを特徴とするエスカレータ用調整工具。
【請求項７】
請求項１から請求項６のいずれか一項に記載のエスカレータ用調整工具であって、
前記複数の工具は、スパナ、ラチェットレンチ、ステップドライバー及びボックスレンチのうちのいずれかを含む、
ことを特徴とするエスカレータ用調整工具。
【発明の詳細な説明】
【技術分野】
【０００１】
本発明は、エスカレータの移動手摺のチェーンの張力を調整するために用いられるエスカレータ用調整工具に関する。
【背景技術】
【０００２】
エスカレータの移動手摺のチェーンの張力を調整するためには、例えば、スパナ、ラチェットレンチ、ステップドライバー及びボックスレンチ等の工具が必要となる。例えば下記の特許文献１には、工具としてスパナ及びラチェットレンチが開示されている。チェーンの張力を調整する場合、エスカレータのステップを開口させ、作業員はステップの開口部で作業を行う。そして、作業員は複数の工具を手で持つか身に着けるかして、チェーンの張力を調整する必要がある。または、他の場所に置かれた工具箱に上記の工具を格納しておき、作業員は必要となる度にステップの開口部から離れて工具箱に工具を取りに行っていた。
【先行技術文献】
【特許文献】
【０００３】
【特許文献１】特開平５−１２４７８６号公報
【発明の概要】
【発明が解決しようとする課題】
【０００４】
上述したように、チェーンの張力を調整する場合、エスカレータのステップの開口部で作業を行う必要がある。ステップの開口部では作業スペースが限られているため、複数の工具を持ち替えるのに手間が掛かり、また、工具をエスカレータのトラスへ落下させるおそれもある。工具がトラスへ落下すると、エスカレータの内部に入り込んでしまい、落下した工具をエスカレータ内部から取り除くことは非常に困難である。また、チェーンの油等によって手が滑りやすくなっているため、工具が落下しやすくなっている。工具の落下防止を図るために、紐によって工具を作業員の手に結んでおくことも考えられるが、必要となる全ての工具を紐で手に結んでおくと、作業中、使用していない工具が邪魔になって作業がやり難くなる問題もある。また、紐で工具を手に結んだとしても、工具を持ち替えるのに手間が掛かってしまう。また、工具箱に工具を格納している場合、必要となる度に工具を取りに行く必要があるため、作業効率が低下してしまう。上記の特許文献１に記載された工具についても、持ち替えの手間がかかり、作業効率が低下してしまう。
【０００５】
本発明の目的は、エスカレータのチェーンの張力を調整するために用いられるエスカレータ用調整工具であって、工具の持ち替えの手間を削減し、作業効率を向上させることが可能なエスカレータ用調整工具を提供することである。
【課題を解決するための手段】
【０００６】
請求項１に係る発明は、取っ手の先端に固定され第１の固定面を有する支持部と、エスカレータの移動手摺のチェーンの張力の調整に用いられる複数の工具と、前記複数の工具のそれぞれを前記支持部に連結し、前記複数の工具のそれぞれを前記支持部に対して回動させる連結部と、前記複数の工具のうちの使用対象の工具を前記支持部の前記第１の固定面に固定する固定部と、を備え、前記複数の工具のそれぞれは、回動させられた場合に前記第１の固定面に接触する第２の固定面を有し、前記固定部は、前記使用対象の工具が回動させられて前記第２の固定面が前記支持部の前記第１の固定面に接触した場合に前記使用対象の工具を前記支持部に固定する、ことを特徴とするエスカレータ用調整工具である。
【０００７】
請求項２に係る発明は、請求項１に係るエスカレータ用調整工具であって、前記固定部は、前記支持部の前記第１の固定面に設けられた被嵌合部と、前記複数の工具のそれぞれの前記第２の固定面に設けられ、前記被嵌合部と嵌合可能な嵌合部と、を有し、前記使用対象の工具が回動させられて前記第２の固定面が前記支持部の前記第１の固定面に接触した場合、前記嵌合部と前記被嵌合部とが嵌合することで前記使用対象の工具が前記支持部に固定される、ことを特徴とする。
【０００８】
請求項３に係る発明は、請求項２に係るエスカレータ用調整工具であって、前記嵌合部及び前記被嵌合部は磁石で構成されている、ことを特徴とする。
【０００９】
請求項４に係る発明は、請求項１から請求項３のいずれか一項に係るエスカレータ用調整工具であって、前記複数の工具のうちの少なくとも１つの工具は、回動させられて前記支持部に固定された場合に前記取っ手に対して略直交するように前記支持部に連結されている、ことを特徴とする。
【００１０】
請求項５に係る発明は、請求項１から請求項４のいずれか一項に係るエスカレータ用調整工具であって、前記複数の工具は取り外し可能に前記支持部に連結されている、ことを特徴とする。
【００１１】
請求項６に係る発明は、請求項１から請求項５のいずれか一項に係るエスカレータ用調整工具であって、前記取っ手に取り付けられ、前記複数の工具を束ねて前記取っ手に固定する結束部を更に備える、ことを特徴とする。
【００１２】
請求項７に係る発明は、請求項１から請求項６のいずれか一項に係るエスカレータ用調整工具であって、前記複数の工具は、スパナ、ラチェットレンチ、ステップドライバー及びボックスレンチのうちのいずれかを含む、ことを特徴とする。
【発明の効果】
【００１３】
本発明によると、エスカレータの移動手摺のチェーンの張力の調整に用いられる複数の工具が支持部に連結され、使用対象の工具を支持部に対して回動させて支持部に固定して使用できるため、工具を持ち替える手間を削減し、作業効率を向上させることができる。
【図面の簡単な説明】
【００１４】
【図１】本発明の実施形態に係るエスカレータ用調整工具を示す斜視図である。
【図２】本発明の実施形態に係るエスカレータ用調整工具の使用態様の一例を示す斜視図である。
【図３】本発明の実施形態に係るエスカレータ用調整工具の使用態様の一例を示す斜視図である。
【図４】本発明の実施形態に係るエスカレータ用調整工具の使用態様の一例を示す斜視図である。
【図５】本発明の実施形態に係るエスカレータ用調整工具の使用態様の一例を示す斜視図である。
【図６】本発明の実施形態に係るエスカレータ用調整工具の使用対象の一例を示す平面図である。
【図７】変形例に係るエスカレータ用調整工具を示す斜視図である。
【発明を実施するための形態】
【００１５】
図１に本発明の実施形態に係るエスカレータ用調整工具を示す。本実施形態に係る調整工具１は、エスカレータの移動手摺のチェーンの張力の調整に用いられる複数の工具を備えている。一例として、調整工具１は、スパナ４と、ラチェットレンチ５と、ステップドライバー６と、ボックスレンチ７とを備えている。以下、調整工具１の具体的な構成について説明する。
【００１６】
調整工具１は、取っ手２と、取っ手２の一方の先端に固定された支持部３と、複数の工具（例えば、スパナ４、ラチェットレンチ５、ステップドライバー６及びボックスレンチ７）と、複数の工具のそれぞれを支持部３に連結し、複数の工具のそれぞれを支持部３に対して回動させる蝶番８と、複数の工具のうちの使用対象の工具を支持部３に固定する固定部９（ロック機構）と、複数の工具を束ねて取っ手２に固定する紐１０と、を備えている。なお、蝶番８が連結部の一例に相当し、紐１０が結束部の一例に相当する。
【００１７】
支持部３は矩形状の形状を有する板状の部材であり、支持部３の４つの辺のそれぞれには蝶番８によって工具（スパナ４、ラチェットレンチ５、ステップドライバー６及びボックスレンチ７）が連結されている。
【００１８】
各工具はベース部材に固定されており、ベース部材が蝶番８によって支持部３に連結されることで、各工具が支持部３に連結されている。例えば、スパナ４の一端が板状のベース部材４１に固定されており、ベース部材４１が蝶番８によって支持部３に連結されている。同様に、ラチェットレンチ５の一端が板状のベース部材５１に固定されており、ベース部材５１が蝶番８によって支持部３に連結されている。同様に、ステップドライバー６の一端が板状のベース部材６１に固定されており、ベース部材６１が蝶番８によって支持部３に連結されている。また、ボックスレンチ７の一端が三角柱状のベース部材７１に固定されており、ベース部材７１が蝶番８によって支持部３に連結されている。
【００１９】
支持部３において工具が連結された４つの辺で囲まれている面が、固定面３１である。ベース部材４１，５１，６１，７１のそれぞれは、蝶番８によって回動させられた場合に支持部３の固定面３１に接触する固定面４２，５２，６２，７２を有する。例えば、ベース部材４１，５１，６１のそれぞれの固定面４２，５２，６２が、支持部３の固定面３１に対して略平行となるように、ベース部材４１，５１，６１のそれぞれが支持部３に連結されている。スパナ４、ラチェットレンチ５及びステップドライバー６のそれぞれは、固定面４２，５２，６２のそれぞれに略直交するようにベース部材４１，５１，６１のそれぞれに固定されている。また、ベース部材７１の固定面７２が、支持部３の固定面３１に対して略直交するように、ベース部材７１が支持部３に連結されている。ボックスレンチ７は、固定面７２に略平行となるようベース部材７１に固定されている。各工具（スパナ４、ラチェットレンチ５、ステップドライバー６及びボックスレンチ７）は同じ方向（取っ手２の長手方向）を向いて支持部３に連結されている。なお、支持部３の固定面３１が第１の固定面の一例に相当し、ベース部材４１，５１，６１，７１のそれぞれの固定面４２，５２，６２，７２が第２の固定面の一例に相当する。
【００２０】
また、支持部３の固定面３１には凹部９１が形成されている。ベース部材４１，５１，６１，７１のそれぞれの固定面４２，５２，６２，７２には、凹部９１に嵌合する凸部９２が固定されている。凹部９１及び凸部９２のうちの少なくとも一方は磁石で構成されていてもよい。凹部９１及び凸部９２のうちの一方のみが磁石で構成されている場合、他方は鉄等の金属で構成されている。例えば、ベース部材４１，５１，６１，７１のいずれかを回動させ、支持部３の固定面３１に固定面４２，５２，６２，７２のいずれかを接触させることで凹部９１に凸部９２を嵌合させ、ベース部材４１，５１，６１，７１のいずれかを支持部３に固定（ロック）する。なお、凹部９１が被嵌合部の一例に相当し、凸部９２が嵌合部の一例に相当する。また、支持部３の固定面３１に凸部を固定し、ベース部材４１，５１，６１，７１のそれぞれの固定面４２，５２，６２，７２に凹部を形成してもよい。凹部９１及び凸部９２によって固定部９が構成される。
【００２１】
また、取っ手２には紐１０の一端が固定されている。紐１０は４つの工具（スパナ４、ラチェットレンチ５、ステップドライバー６及びボックスレンチ７）を囲み、当該４つの工具を束ねるのに十分な長さを有する。例えば紐１０の他端に面状ファスナーを設け、当該４つの工具を束ねて面状ファスナーによって取っ手２に固定してもよい。また、取っ手２において支持部３とは反対側の先端に、滑り止め用のグリップが設けられていてもよい。
【００２２】
次に、図１から図６を参照して調整工具１の使用態様の一例を説明する。スパナ４、ラチェットレンチ５、ステップドライバー６及びボックスレンチ７のいずれも使用しない場合、図１に示すように、ベース部材４１，５１，６１，７１の固定面４２，５２，６２，７２を支持部３の固定面３１から離しておく。なお、いずれの工具も使用しない場合、紐１０によって全ての工具（スパナ４、ラチェットレンチ５、ステップドライバー６及びボックスレンチ７）を束ねて取っ手２に固定しておけばよい。
【００２３】
そして、スパナ４を使用する場合、例えば図２に示すように、スパナ４を支持部３に向けて（矢印Ａの方向に）１８０度回動させ、ベース部材４１の固定面４２を支持部３の固定面３１に接触させる。これにより、支持部３の固定面３１に形成されている凹部９１に、ベース部材４１の固定面４２に固定されている凸部９２が嵌合し、スパナ４の移動が規制されてスパナ４が支持部３に固定（ロック）される。このように、使用対象となるスパナ４のみを蝶番８によって１８０度回動させることで、４つの工具からスパナ４のみを簡単に取り出して使用することができる。そして、スパナ４によってナットを緩めたり締めたりする。このとき、使用していない３つの工具（ラチェットレンチ５、ステップドライバー６及びボックスレンチ７）を紐１０によって束ねて取っ手２に固定しておくことで、使用していない３つの工具をコンパクトにまとめて作業の邪魔になることを防止できる。また、スパナ４を矢印Ａの方向とは反対方向に回動させることで、凹部９１及び凸部９２の嵌合が外れて、スパナ４のロックを解除することができる。
【００２４】
また、ラチェットレンチ５を使用する場合、例えば図３に示すように、ラチェットレンチ５を支持部３に向けて（矢印Ｂの方向に）１８０度回動させ、ベース部材５１の固定面５２を支持部３の固定面３１に接触させる。これにより、支持部３の固定面３１に形成されている凹部９１に、ベース部材５１の固定面５２に固定されている凸部９２が嵌合し、ラチェットレンチ５の移動が規制されてラチェットレンチ５が支持部３に固定（ロック）される。このように、使用対象となるラチェットレンチ５のみを蝶番８によって１８０度回動させることで、４つの工具からラチェットレンチ５のみを簡単に取り出して使用することができる。そして、ラチェットレンチ５によってナットを緩めたり締めたりする。このとき、使用していない３つの工具（スパナ４、ステップドライバー６及びボックスレンチ７）を紐１０によって束ねて取っ手２に固定しておくことで、使用していない３つの工具をコンパクトにまとめて作業の邪魔になることを防止できる。また、ラチェットレンチ５を矢印Ｂの方向とは反対方向に回動させることで、凹部９１及び凸部９２の嵌合が外れて、ラチェットレンチ５のロックを解除することができる。
【００２５】
また、ステップドライバー６を使用する場合、例えば図４に示すように、ステップドライバー６を支持部３に向けて（矢印Ｃの方向に）１８０度回動させ、ベース部材６１の固定面６２を支持部３の固定面３１に接触させる。これにより、支持部３の固定面３１に形成されている凹部９１に、ベース部材６１の固定面６２に固定されている凸部９２が嵌合し、ステップドライバー６の移動が規制されてステップドライバー６が支持部３に固定（ロック）される。このように、使用対象となるステップドライバー６のみを蝶番８によって１８０度回動させることで、４つの工具からステップドライバー６のみを簡単に取り出して使用することができる。そして、ステップドライバー６によってビスを緩めたり締めたりする。このとき、使用していない３つの工具（スパナ４、ラチェットレンチ５及びボックスレンチ７）を紐１０によって束ねて取っ手２に固定しておくことで、使用していない３つの工具をコンパクトにまとめて作業の邪魔になることを防止できる。また、ステップドライバー６を矢印Ｃの方向とは反対方向に回動させることで、凹部９１及び凸部９２の嵌合が外れて、ステップドライバー６のロックを解除することができる。
【００２６】
また、ボックスレンチ７を使用する場合、例えば図５に示すように、ボックスレンチ７を支持部３に向けて（矢印Ｄの方向に）９０度回動させ、ベース部材７１の固定面７２を支持部３の固定面３１に接触させる。これにより、支持部３の固定面３１に形成されている凹部９１に、ベース部材７１の固定面７２に固定されている凸部９２が嵌合し、ボックスレンチ７の移動が規制されてボックスレンチ７が支持部３に固定（ロック）される。このように、使用対象となるボックスレンチ７のみを蝶番８によって９０度回動させることで、４つの工具からボックスレンチ７のみを簡単に取り出して使用することができる。そして、ボックスレンチ７によってボルトを緩めたり締めたりする。このとき、使用していない３つの工具（スパナ４、ラチェットレンチ５及びステップドライバー６）を紐１０によって束ねて取っ手２に固定しておくことで、使用していない３つの工具をコンパクトにまとめて作業の邪魔になることを防止できる。また、ボックスレンチ７を矢印Ｄの方向とは反対方向に回動させることで、凹部９１及び凸部９２の嵌合が外れて、ボックスレンチ７のロックを解除することができる。
【００２７】
ここで、図６を参照して、ボックスレンチ７と支持部３との配置関係について説明する。図６は、ボックスレンチ７と支持部３との配置関係を示す平面図である。説明を簡便にするために、図６においては、取っ手２、支持部３、ボックスレンチ７、蝶番８、ベース部材７１、凹部９１及び凸部９２のみを示している。
【００２８】
図６（ａ）は、凹部９１に凸部９２が嵌合しておらず、ボックスレンチ７の動きが規制されていない状態を示す。上述したように、ベース部材７１の固定面７２が支持部３の固定面３１に対して略直交するように、蝶番８によってベース部材７１が支持部３に連結されている。また、ボックスレンチ７は、固定面７２に略平行となるようにベース部材７１に固定されている。そして、図５及び図６（ｂ）に示すように、ボックスレンチ７を支持部３に向けて（矢印Ｄの方向に）９０度回動させることで、ベース部材７１の固定面７２が支持部３の固定面３１に接触し、支持部３の固定面３１に形成されている凹部９１に、ベース部材７１の固定面７２に固定されている凸部９２が嵌合し、ボックスレンチ７の移動が規制されてボックスレンチ７が支持部３に固定（ロック）される。支持部３の固定面３１とベース部材７１の固定面７２とが略直交し、固定面７２に略平行となるようにボックスレンチ７がベース部材７１に固定されているため、ボックスレンチ７を９０度回動させて凸部９２を凹部９１に嵌合させることで、ボックスレンチ７と取っ手２とのなす角度が略９０度となる。
【００２９】
以上のように、ボックスレンチ７が取っ手２に対して略直交して固定（ロック）されることで、ボックスレンチ７が取っ手２に対して平行に固定（ロック）される場合と比べて、より大きなトルクを出してボルトを締めたり緩めたりすることができる。すなわち、作業員は取っ手２を握ってボックスレンチ７を回すことになるため、ボックスレンチ７が取っ手２に対して略直交して固定されることで、より大きなトルクでボルトを締めたり緩めたりすることができる。なお、ボックスレンチ７以外の工具（スパナ４、ラチェットレンチ５及びステップドライバー６）についても、取っ手２に対して略直交するように支持部３に連結してもよい。
【００３０】
以上のように、本実施形態に係る調整工具１によると、エスカレータの移動手摺のチェーンの張力の調整に用いられる複数の工具が支持部３に連結されて１つにまとめられているため、工具を持ち替える手間を削減し、作業効率を向上させることができる。また、工具を持ち替える際の工具の落下を防止することができる。また、所望の工具を支持部３に対して回動させるだけで支持部３に固定（ロック）して使用することができるため、所望の工具を簡単に取り出して使用することができる。例えば、エスカレータのステップの開口部で作業を行っている最中であっても、所望の工具を回動させるだけで支持部３に固定して使用することができるため、所望の工具を簡単に取り出して使用することができる。このように、複数の工具がまとまって支持部３に連結され、所望の工具の取り出しも簡単であるため、工具を持ち替える手間を削減し、作業効率を向上させることができる。また、工具の落下を防止できる。
【００３１】
また、凹部９１及び凸部９２を磁石で構成することで、支持部３に各工具をより強固に固定（ロック）することができる。なお、支持部３の固定面３１に凹部９１を形成せず、ベース部材４１，５１，６１，７１のそれぞれの固定面４２，５２，６２，７２に凸部９２を設けずに、固定面３１及び固定面４２，５２，６２，７２に磁石を設け、当該磁石の磁力のみによって、各工具（スパナ４、ラチェットレンチ５、ステップドライバー６及びボックスレンチ７）を支持部３に固定（ロック）してもよい。また、固定面３１及び固定面４２，５２，６２，７２のうちの少なくとも一方に磁石を設け、他方に鉄等の金属を設けることで、各工具を支持部に固定（ロック）するようにしてもよい。
【００３２】
なお、ベース部材４１，５１，６１，７１のそれぞれを取り外し可能に支持部３に連結してもよい。例えば、蝶番８によって連結せずに、支持部３又はベース部材４１，５１，６１，７１の一方の連結箇所に溝を形成し、他方の連結箇所に当該溝に係合する係合部を設け、溝に係合部を嵌めることで支持部３とベース部材４１，５１，６１，７１とを連結するようにしてもよい。例えば、必要な工具のみを支持部３に連結することで、不要な工具が作業の邪魔になることを防止できる。
【００３３】
次に、図７を参照して変形例に係る調整工具について説明する。上述した実施形態においては、４種類の工具を備えている調整工具について説明したが、調整工具は３種類の工具を備えていてもよい。
【００３４】
図７に示す変形例に係る調整工具１Ａは、一例として、スパナ４、ラチェットレンチ５及びボックスレンチ７の３種類の工具を備えている。具体的には、調整工具１Ａは、取っ手２と、取っ手２の一方の端部に固定された支持部３Ａと、３種類の工具（スパナ４、ラチェットレンチ５及びボックスレンチ７）と、蝶番８と、固定部９と、紐１０とを備えている。
【００３５】
支持部３Ａは三角形状の形状を有する板状の部材であり、支持部３Ａの３つの辺のそれぞれに蝶番８によって工具（スパナ４、ラチェットレンチ５及びボックスレンチ７）が連結されている。
【００３６】
上述した実施形態と同様に、各工具はベース部材に固定されており、ベース部材が蝶番８によって支持部３Ａに連結されることで、各工具が支持部３Ａに連結される。例えば、三角形状の形状を有する板状のベース部材４１Ａにスパナ４の一端が固定されており、ベース部材４１Ａが蝶番８によって支持部３に連結されている。同様に、三角形状の形状を有する板状のベース部材５１Ａにラチェットレンチ５の一端が固定されており、ベース部材５１Ａが蝶番８によって支持部３に連結されている。同様に、三角形状の形状を有する板状のベース部材７１Ａにボックスレンチ７の一端が固定されており、ベース部材７１Ａが蝶番８によって支持部３に連結されている。
【００３７】
支持部３Ａにおいて工具が連結されている３つの辺で囲まれた面が、固定面３１Ａである。ベース部材４１Ａ，５１Ａ，７１Ａのそれぞれは、蝶番８によって回動させられた場合に支持部３Ａの固定面３１Ａに接触する固定面４２Ａ，５２Ａ，７２Ａを有する。例えば、ベース部材４１Ａ，５１Ａ，７１Ａのそれぞれの固定面４２Ａ，５２Ａ，７２Ａが、支持部３Ａの固定面３１Ａに対して略平行となるように、ベース部材４１Ａ，５１Ａ，７１Ａが支持部３Ａに連結されている。スパナ４、ラチェットレンチ５及びボックスレンチ７のそれぞれは、固定面４２Ａ，５２Ａ，７２Ａのそれぞれに略直交するようにベース部材４１Ａ，５１Ａ，７１Ａのそれぞれに固定されている。各工具（スパナ４、ラチェットレンチ５及びボックスレンチ７）は同じ方向（取っ手２の長手方向）を向いて支持部３に連結されている。なお、支持部３Ａの固定面３１Ａが第１の固定面の一例に相当し、ベース部材４１Ａ，５１Ａ，７１Ａのそれぞれの固定面４２Ａ，５２Ａ，７２Ａが第２の固定面の一例に相当する。
【００３８】
また、支持部３Ａの固定面３１Ａには凹部９１が形成されている。ベース部材４１Ａ，５１Ａ，７１Ａのそれぞれの固定面４２Ａ，５２Ａ，７２Ａには、凹部９１に嵌合する凸部９２が固定されている。上述した実施形態と同様に、凹部９１及び凸部９２のうちの少なくとも一方は磁石で構成され、他方は鉄等の金属で構成されていてもよい。例えば、ベース部材４１Ａ，５１Ａ，７１Ａのいずれかを回動させ、支持部３Ａの固定面３１Ａに固定面４２Ａ，５２Ａ，７２Ａのいずれかを接触させることで、凹部９１に凸部９２を嵌合させ、ベース部材４１Ａ，５１Ａ，７１Ａのいずれかを支持部３に固定（ロック）する。また、上述した実施形態と同様に、支持部３Ａの固定面３１Ａに凸部を固定し、ベース部材４１Ａ，５１Ａ，７１Ａのそれぞれの固定面４２Ａ，５２Ａ，７２Ａに凹部を形成してもよい。
【００３９】
また、取っ手２には紐１０の一端が固定されている。紐１０は、３つの工具を囲み、当該３つの工具を束ねるのに十分な長さを有する。また、取っ手２において支持部３Ａとは反対側の先端に、滑り止め用のグリップが設けられていてもよい。
【００４０】
以上のような構成を有する変形例に係る調整工具１Ａについても、実施形態に係る調整工具１と同じ作用及び効果を奏することができる。すなわち、スパナ４を使用する場合、スパナ４を支持部３Ａに向けて１８０度回動させ、ベース部材４１Ａの固定面４２Ａを支持部３Ａの固定面３１Ａに接触させる。これにより、支持部３Ａの固定面３１Ａに形成されている凹部９１に、ベース部材４１Ａの固定面４２Ａに固定されている凸部９２が嵌合し、スパナ４の移動が規制されてスパナ４が支持部３に固定（ロック）される。このように、使用対象となるスパナ４のみを蝶番８によって１８０度回動させることで、３つの工具からスパナ４のみを取り出して使用することができる。このとき、使用していない２つの工具（ラチェットレンチ５及びボックスレンチ７）を紐１０によって束ねて取っ手２に固定しておくことで、使用していない２つの工具をコンパクトにまとめて作業の邪魔になることを防止できる。また、ラチェットレンチ５及びボックスレンチ７を使用する場合もスパナ４を使用する場合と同様に、ベース部材５１Ａ又はベース部材７１Ａを１８０度回動させることで、ラチェットレンチ５又はボックスレンチ７の移動を規制してラチェットレンチ５又はボックスレンチ７を支持部３Ａに固定（ロック）して使用することができる。
【００４１】
上述した実施形態に係る調整工具１と同様に、ベース部材７１Ａの固定面７２Ａを支持部３の固定面３１Ａに接触させてボックスレンチ７を支持部３Ａに固定（ロック）した場合に、ボックスレンチ７が取っ手２に対して略直交するように、ボックスレンチ７を支持部３Ａに連結してもよい。なお、ボックスレンチ７以外の工具（スパナ４及びラチェットレンチ５）についても、取っ手２に対して略直交するように支持部３Ａに連結してもよい。
【００４２】
変形例に係る調整工具１Ａには、スパナ４、ラチェットレンチ５及びボックスレンチ７が設けられているが、スパナ４、ラチェットレンチ５又はボックスレンチ７のうちのいずれか１つに替えてステップドライバー６を設けてもよい。また、調整工具１Ａにおいても、各工具が取り外し可能に支持部３Ａに連結されていてもよい。
【００４３】
また、他の変形例として、調整工具は５種類以上の工具を備えていてもよい。例えば、調整対象のエレベータの種類に応じて工具の数を変えてもよい。一例として５種類の工具を調整工具に設ける場合、五角形状の板状の部材を支持部として用い、当該支持部の５つの辺のそれぞれに蝶番によって工具を連結すればよい。
【００４４】
また、一部に穴が開いた袋を調整工具１，１Ａにかぶせ、当該穴から使用対象となる工具を袋の外部に出して当該工具を使用してもよい。これにより、使用対象となる工具のみが袋から出た状態となり、使用されない工具は袋の中に格納された状態となるため、使用されない工具が作業の邪魔になることを防止し、作業効率を向上させることができる。
【００４５】
なお、調整対象のエレベータの種類に応じて、スパナ４、ラチェットレンチ５、ステップドライバー６及びボックスレンチ７のサイズを変えればよい。一例として、Ｍ２０のスパナ４、Ｍ２２のラチェットレンチ及びＭ２０のボックスレンチが用いられる。また、上述したスパナ４、ラチェットレンチ５、ステップドライバー６及びボックスレンチ７は工具の一例であり、上述した実施形態及び変形例に係る調整工具１，１Ａにおいて、これら以外の工具が用いられてもよい。
【符号の説明】
【００４６】
１，１Ａ  調整工具、２  取っ手、３，３Ａ  支持部、４  スパナ、５  ラチェットレンチ、６  ステップドライバー、７  ボックスレンチ、８  蝶番、９  固定部、１０  紐、３１，４２，５２，６２，７２，３１Ａ，４２Ａ，５２Ａ，７２Ａ  固定面、４１，５１，６１，７１，４１Ａ，５１Ａ，７１Ａ  ベース部材、９１  凹部、９２  凸部。
【図１】
2013163589.tif 000003
【図２】
2013163589.tif 000004
【図３】
2013163589.tif 000005
【図４】
2013163589.tif 000006
【図５】
2013163589.tif 000007
【図６】
2013163589.tif 000008
【図７】
2013163589.tif 000009